(57)【要約】【課題】リベットなどを用いて取付金具を相手部材に回転自在に連結する場合における取付金具と相手部材とのあいだのがたつきや振動を防止することができる波形ワッシャを提供する。【解決手段】２ヵ所以上厚さ方向に曲がった部分を有し、波形を呈する波形ワッシャ。【選択図】図２
0003102416.tif 000002
【実用新案登録請求の範囲】
【請求項１】
２ヵ所以上厚さ方向に曲がった部分を有し、波形を呈する波形ワッシャ。
【請求項２】
滑り性およびバネ性を有する材料で作製されてなる請求項１記載の波形ワッシャ。
【考案の詳細な説明】
【技術分野】
【０００１】
本考案は波形ワッシャに関する。さらに詳しくは、リベットなどを用いて取付金具を相手部材に回転自在に連結する場合における当該取付金具と相手部材とのあいだのがたつきや振動を防止することができる波形ワッシャに関する。以下、取付金具と連結される相手部材の一例として、扉等開度調整器を例にあげて説明する。
【背景技術】
【０００２】
図５〜６に示されるように、従来より、扉を全開または任意の開度で保持するために、伸縮ステー５１を備えた扉等開度調整器が用いられている。伸縮ステー５１は、外筒５４および該外筒５４内に進退自在に挿通される内挿部材５５とから構成されている。伸縮ステー５１を、たとえば、図５〜６に示されるように、扉Ｄの上端付近に取り付けることにより、扉Ｄを全開状態で保持することができる。図５〜６において、扉ＤはＤ１側が枠部材Ｆに蝶着されており、取付金具Ｂ１は枠部材ＦのＤ１寄りにネジなどによって固着されている。取付金具Ｂ１に対して、外筒５４の後端部がリベットなどによって回転自在に連結されている。一方、内挿部材５５の先端部は、取付金具Ｂ２に対して、前記取付金具Ｂ１と同様にリベットなどによって回転自在に連結されている。取付金具Ｂ２は、扉Ｄの上端付近にネジなどによって固着されている。
【考案の開示】
【考案が解決しようとする課題】
【０００３】
しかし、取付金具Ｂ１、Ｂ２を相手部材である扉等開度調整器の外筒５４または内挿部材５５に対して、リベットなどを用いて回転自在に連結する場合、取付金具Ｂ１と外筒５４とのあいだ、および取付金具Ｂ２と内挿部材５５とのあいだにおいて回転ができるように、取付金具Ｂ１、Ｂ２、外筒４および内挿部材５５のそれぞれの貫通孔の内周面とリベットピンの外周面とのあいだに若干の隙間をあけている。そのため、取付金具と外筒などとのあいだでは、がたつきや振動が発生するおそれがある。
【０００４】
本考案はかかる問題を解消するためになされたものであり、リベットなどを用いて取付金具を相手部材に回転自在に連結する場合における取付金具と相手部材とのあいだのがたつきや振動を防止することができる波形ワッシャを提供することを目的とする。
【課題を解決するための手段】
【０００５】
本考案の波形ワッシャは、２ヵ所以上厚さ方向に曲がった部分を有し、波形を呈することを特徴とする。
【０００６】
本考案の波形ワッシャは、滑り性およびバネ性を有する材料で作製されてなるのが好ましい。
【考案の効果】
【０００７】
本考案によれば、相手部材と取付金具とのあいだに挟まれた波形ワッシャの復元力を利用して、リベットなどを用いて取付金具を相手部材に回転自在に連結する場合における取付金具と相手部材とのあいだのがたつきや振動を防止することができる。
【考案を実施するための最良の形態】
【０００８】
つぎに図面を参照しながら本考案の波形ワッシャをさらに詳細に説明する。図１は本考案の波形ワッシャを挟んで連結された扉等開度調整器および取付金具の使用状態を示す斜視説明図、図２は図１の外筒の端部における取付金具の連結構造を示す要部分解斜視図、図３は本考案の一実施の形態にかかわる波形ワッシャの平面図、および図４は図３のワッシャの側面図である。
【０００９】
図１に示されるように、外筒４内に内挿部材５が進退自在に挿通された扉等開度調整器１の両端部は、２つの取付金具２、３を介して、戸枠Ｆおよび扉Ｄにそれぞれ回転自在に連結されている。具体的には、外筒４の後端部には、戸枠Ｆにネジなどによって固定される取付金具２が回転自在に連結され、内挿部材５の先端部には、扉Ｄにネジなどによって固定される取付金具３が回転自在に連結されている。
【００１０】
取付金具２は、図２に示されるように、リベットピン６を用いて相手部材である外筒４に回転自在に連結されている。具体的には、図２に示される外筒４の先端部の貫通孔４ａと同軸上になるように、円筒状スペーサ７、外筒４の上部開口を覆う外蓋８、ワッシャ９、取付金具２、後述する波形ワッシャ１０およびワッシャ１１のそれぞれの貫通孔の位置を合わせながら順次重ね合わせたのち、リベットピン６の先端をかしめることによって、前記取付金具２と外筒４を回転自在に締結している。
【００１１】
ここで、外筒４および取付金具２は、リベットピン６まわりに円滑に回転できるように、それぞれの貫通孔の内周面とリベットピン６の外周面とのあいだに若干の隙間をあけている。そのため、たとえば扉を開けた状態のときに、外筒４と取付金具２とのあいだでがたつきや振動が発生する場合がある。そこで、本考案では、リベットピン６で締結する際に、図３〜４に示されるような波状に湾曲した波形ワッシャ１０を、たとえば取付金具２とワッシャ１１とのあいだに挟むことにより、当該波形ワッシャ１０の復元力によって外筒４および取付金具２をリベットピン６の軸方向に沿って付勢させている。そうすることにより、外筒４および取付金具２と、隣接する部材とのあいだにおける摩擦抵抗が増加し、その結果、外筒４をリベットピン６のまわりに回転させることは可能であるが、外筒４をリベットピン６の軸に垂直な方向に移動させにくくなる。これにより、外筒４と取付金具２とのあいだのがたつきや振動を防止することができる。
【００１２】
波形ワッシャ１０は、図３〜４に示されるように、厚さ方向に２ヵ所以上湾曲または屈曲されることにより、山部分１０ａおよび谷部分１０ｂが連続的に形成され、波形を呈している。ワッシャの波形を構成する山または谷の数については、本考案においてとくに限定されるものではなく、たとえば山の数を２〜４のあいだで適宜選定することができる。
【００１３】
波形ワッシャ１０は、外筒４と取付金具２とのあいだの回転を円滑に行なうとともにがたつきや振動をより効果的に防止できるように、たとえばステンレスなどの滑り性およびバネ性を有する材料で作製されているのが好ましい。
【００１４】
なお、波形ワッシャ１０の取付け位置は、本考案においてとくに限定されるものではなく、外筒４と円筒状スペーサ７とのあいだなどの任意の位置に挟むことができ、これによりがたつきを防止することができる。また、図示していないが、内挿部材５と取付金具３とのあいだの連結部分にも波形ワッシャを用いればがたつきや振動を防止することができる。
【図面の簡単な説明】
【００１５】
【図１】本考案の波形ワッシャを挟んで連結された扉等開度調整器および取付金具の使用状態を示す斜視説明図である。
【図２】図１の外筒の端部における取付金具の連結構造を示す要部分解斜視図である。
【図３】本考案の一実施の形態にかかわる波形ワッシャの平面図である。
【図４】図３のワッシャの側面図である。
【図５】図１の外筒の端部における取付金具の連結構造を示す要部分解斜視図である。
【図６】従来の扉等開度調整器が取り付けられた扉の閉状態を示す概略正面図である。
【符号の説明】
【００１６】
１  扉等開度調整器
２、３  取付金具
４  外筒
５  内挿部材
６  リベットピン
１０  波形ワッシャ
【図１】
0003102416.tif 000003
【図２】
0003102416.tif 000004
【図３】
0003102416.tif 000005
【図４】
0003102416.tif 000006
【図５】
0003102416.tif 000007
【図６】
0003102416.tif 000008